(57)【要約】【課題】アナログ信号経路をできるだけデジタル化することで、通信／通話信号の品質の向上、および製造工数、部品点数の低減を図った通信装置を提供する。【解決手段】スピーカ３０、ハンドセット３１、ＰＳＴＮインタフェース４０Ａ，４０Ｂ、ＩＳＤＮインタフェース４１にそれぞれ信号のアナログ／デジタル変換を行うＤ／Ａ変換器３２，４２を接続し、Ｄ／Ａ変換器３２，４２間をデジタル信号線路６ｂ，６ｃおよびバス２０ａによって接続したものである。アナログ信号経路をできるだけデジタル化したので、通信／通話信号の品質が向上する。【選択図】　　　図１
2004112452.tif 000002
【特許請求の範囲】
【請求項１】
複数の通信回線インタフェースに音声入出力手段を選択的に接続する通信装置において、
前記複数の通信回線インタフェース、および前記音声入出力手段にそれぞれ接続され、信号のアナログ／デジタル変換を行う複数のＤ／Ａ変換手段と、
前記複数の変換手段のデジタル信号出力側を相互に接続するデジタル信号経路と、
前記音声入出力手段を前記デジタル信号経路を介して前記複数の通信回線インタフェースに選択的に接続する選択手段とを備えたことを特徴とする通信装置。
【請求項２】
前記デジタル信号経路は、デジタルバスであり、
前記選択手段は、前記複数の変換手段を制御して前記デジタルバスにおける信号経路の切替えを行うことを特徴とする請求項１記載の通信装置。
【請求項３】
前記デジタル信号経路は、セレクタを備え、
前記選択手段は、前記セレクタを制御することで信号経路の切替えを行うことを特徴とする請求項１記載の通信装置。
【請求項４】
前記音声入出力手段は、スピーカ、マイク、あるいはハンドセットであることを特徴とする請求項１記載の通信装置。
【請求項５】
前記音声入出力手段は、音声録音器あるいは再生器であることを特徴とする請求項１記載の通信装置。
【請求項６】
少なくとも１つの通信回線インタフェースに音声入出力手段あるいはモデムを選択的に接続する通信装置において、
前記少なくとも１つの通信回線インタフェース、および前記音声入出力手段にそれぞれ接続され、信号のアナログ／デジタル変換を行う複数のＤ／Ａ変換手段と、
前記複数の変換手段のデジタル信号出力側、および前記モデムを相互に接続するデジタル信号経路と、
前記音声入出力手段あるいは前記モデムを前記デジタル信号経路を介して前記少なくとも１つの通信回線インタフェースに選択的に接続する選択手段とを備えたことを特徴とする通信装置。
【請求項７】
前記少なくとも１つの通信回線インタフェースに接続された前記変換手段は、ＡＦＥ（アナログフロントエンド）であることを特徴とする請求項６記載の通信装置。
【請求項８】
前記デジタル信号経路は、セレクタを備え、
前記選択手段は、前記セレクタを制御することで信号経路の切替えを行うことを特徴とする請求項６記載の通信装置。
【請求項９】
前記音声入出力手段は、スピーカ、マイク、あるいはハンドセットであることを特徴とする請求項６記載の通信装置。
【請求項１０】
前記音声入出力手段は、音声録音器あるいは再生器であることを特徴とする請求項６記載の通信装置。
【発明の詳細な説明】
【０００１】
【発明の属する技術分野】
本発明は、ファクシミリ装置等の通信装置に関し、特に、アナログ信号経路をできるだけデジタル化することで、通信／通話信号の品質の向上、および製造工数、部品点数の低減を図った通信装置に関する。
【０００２】
【従来の技術】
近年、コピー、ファクス、プリンタ等の機能を１台にまとめた複合機と呼ばれるＯＡ機の普及が盛んになっている。このような機器は単機能機器に比べ比較的大型で、高性能を有しており、ファクシミリ機能については、複数の回線を収容できるものが多い。
【０００３】
図４は、複数の回線を収容した従来のファクシミリ装置を示す。このファクシミリ装置１Ｂは、装置本体２と、音声データ入出力部３と、回線インタフェース部４とを備える。なお、同図中、２本線はアナログ信号経路を示す。
【０００４】
装置本体２は、このファクシミリ装置１Ｂ全体を制御するＣＰＵ２０と、ＣＰＵ２０の動作プログラムを記憶するＲＯＭ２１と、データを記憶するＲＡＭ２２と、原稿から画像データを読み取るスキャナ２６と、データの符号化および復号化を行う符合化部２７と、受信データを印刷するプリンタ２８と、信号の変復調を行う複数のＧ３モデム部５Ａ，５Ｂ，５Ｃおよび複数のＧ４機能部５Ｄ，５Ｅと、セレクタ回路２５と、これらのＣＰＵ２０、ＲＯＭ２１、ＲＡＭ２２、スキャナ２６、符合化部２７、プリンタ２８、Ｇ３モデム部５Ａ〜５ＣおよびＧ４機能部５Ｄ，５Ｅを相互に接続するバス２０ａと、アナログ信号経路１６ａ，１６ｂ，１６ｃ間の信号経路の切替えを行う切替えスイッチ（ＳＷ）回路２５とを備える。
【０００５】
音声データ入出力部３は、各回線の状態をモニタするためのスピーカ４０と、各回線への発呼、および各回線からの着呼に応答するためのハンドセット４１と、これらのスピーカ４０およびハンドセット４１の前段に設けられたＤ／Ａ変換器３２とを備える。
【０００６】
回線インタフェース部４は、アナログ電話回線（ＰＳＴＮ）に接続されるＰＳＴＮインタフェース（Ｉ／Ｆ）４０Ａ，４０Ｂと、総合デジタル通信網（ＩＳＤＮ）に接続されるＩＳＤＮインタフェース（Ｉ／Ｆ）４１とを備える。
【０００７】
切替えＳＷ回路２５は、各回線からのアナログ信号を音声データ入出力部３に接続するために設けられている。このＳＷ回路２５の内部には、図示しないアナログスイッチがあり、信号経路の切替えはアナログスイッチへのＣＰＵ２０の指示によって行われる。また各インタフェースと音声データ入出力機器間のレベルを統一化するためのアンプ、ノイズを低減するためのフィルタ等で構成されている。
【０００８】
Ｇ３モデム部５Ａ，５Ｂ，５Ｃは、ＤＳＰ（Ｄｉｇｉｔａｌ　Ｓｉｇｎａｌ　ｐｒｏｓｓｅｃｅｒ）５０を利用したものであり、これはＤＳＰ５０、ＡＦＥ（アナログフロントエンド）５１、ＲＯＭ（図示せず）の３−ｃｈｉｐ構成となっている。ＡＦＥ５１は、Ｄ／Ａ、Ａ／Ｄ変換機能を有し、ＲＯＭは、ＤＳＰ５０を動かすためのファームウエアが格納されている。アナログ信号はＡＦＥ５１によりデジタル化されてＤＳＰ５０に入力され、出力はその逆となる。
【０００９】
このようなＩＳＤＮを収容できるファクシミリ装置では、ＩＳＤＮによる通話、Ｇ３ファクシミリ、Ｇ４ファクシミリが可能となる。すなわち、Ｇ３モデム部５Ａ〜５ＣとＧ４機能部５Ｄ，５ＥがそれぞれＩＳＤＮＩ／Ｆ４１に接続できるので、通信相手によってＧ３／Ｇ４を選択的に使用することができる。また、Ｇ３モデム部５Ａ〜５Ｃは、ＩＳＤＮ専用ではなく、ＰＳＴＮＩ／Ｆ４０Ａ，４０Ｂにも接続できるようにすることで、モデム資源の有効活用を図ることができる。また、ＩＳＤＮは同時に２ｃｈ分の通信が行えるため、Ｇ３モデム部やＧ４機能部を複数持つことにより、Ｇ３×２ｃｈやＧ３×１ｃｈ＋Ｇ４×１ｃｈといったことも行える。
【００１０】
【発明が解決しようとする課題】
しかし、従来の通信装置によると、上記の機能を満たすため、通話機能部、Ｇ３機能部、Ｇ４機能部が相互にＩＳＤＮインタフェースに接続できる構成をとっているため、アナログ信号の経路を切り替える回路が必要になる。また、受話器やモニタ用のスピーカは一つであるため、任意の回線に対して通話やモニタ音を聞くためには、そのアナログ信号の経路を切り替える回路が必要になる。
【００１１】
また、Ｇ３モデム部の出力はアナログ信号であるため、例えば、増設回線の部分が別ボックスなどにより離れている場合、アナログ信号経路を引き伸ばすことになり、その分ノイズの影響を受け易くなる。
【００１２】
このように、アナログ信号経路を切り替えるような複雑な構成や、アナログ経路が長くなるような構成では、ノイズの影響を受け易いため、通信／通話信号の品質確保のための作り込みの工数やフィルタなどの部品が必要となる。
【００１３】
従って、本発明の目的は、アナログ信号経路をできるだけデジタル化することで、通信／通話信号の品質の向上、および製造工数、部品点数の低減を図った通信装置を提供することにある。
【００１４】
【課題を解決するための手段】
本発明は、上記目的を達成するため、複数の通信回線インタフェースに音声入出力手段を選択的に接続する通信装置において、前記複数の通信回線インタフェース、および前記音声入出力手段にそれぞれ接続され、信号のアナログ／デジタル変換を行う複数のＤ／Ａ変換手段と、前記複数の変換手段のデジタル信号出力側を相互に接続するデジタル信号経路と、前記音声入出力手段を前記デジタル信号経路を介して前記複数の通信回線インタフェースに選択的に接続する選択手段とを備えたことを特徴とする通信装置を提供する。
【００１５】
この構成によれば、通信回線インタフェースおよび音声入出力手段間が変換手段を介してデジタル信号経路によって接続されるため、通信／通話信号の品質が向上する。なお、本明細書では、「アナログ／デジタル変換」には、デジタル信号からアナログ信号への変換も含まれる。
【００１６】
本発明は、上記目的を達成するため、少なくとも１つの通信回線インタフェースに音声入出力手段あるいはモデムを選択的に接続する通信装置において、前記少なくとも１つの通信回線インタフェース、および前記音声入出力手段にそれぞれ接続され、信号のアナログ／デジタル変換を行う複数のＤ／Ａ変換手段と、前記複数の変換手段のデジタル信号出力側、および前記モデムを相互に接続するデジタル信号経路と、前記音声入出力手段あるいは前記モデムを前記デジタル信号経路を介して前記少なくとも１つの通信回線インタフェースに選択的に接続する選択手段とを備えたことを特徴とする通信装置を提供する。
【００１７】
この構成によれば、通信回線インタフェース、音声入出力手段およびモデム間が変換手段を介してデジタル信号経路によって接続されるため、通信／通話信号の品質が向上する。
【００１８】
【発明の実施の形態】
図１は、本発明の第１の実施の形態に係る通信装置を適用した電話装置を示す。この電話装置１Ａは、装置本体２と、音声データ入出力部３と、回線インタフェース（Ｉ／Ｆ）部４とを備える。
【００１９】
装置本体２は、この電話装置１Ａ全体を制御するＣＰＵ２０と、ＣＰＵ２０の動作プログラム（文書作成プログラム等）を記憶するＲＯＭ２１と、文書作成プログラムによって作成された文書データ等を記憶するＲＡＭ２２と、ＣＲＴディスプレイ等の表示部２３と、キーボード，マウス等の操作部２４と、これらのＣＰＵ２０、ＲＯＭ２１、ＲＡＭ２２、表示部２３および操作部２４を相互に接続するバス２０ａとを備える。
【００２０】
音声データ入出力部３は、各回線の状態をモニタするためのスピーカ４０と、各回線への発呼、および各回線からの着呼に応答するためのハンドセット４１と、これらのスピーカ４０およびハンドセット４１の前段に設けられたＤ／Ａ変換器３２とを備える。このＤ／Ａ変換器３２は、音声信号等のアナログ／デジタル変換（デジタル信号からアナログ信号への変換も含まれる。他のＤ／Ａ変換器も同じ。）を行うものであり、変換されたデジタル信号はバス２０ａに送出される。なお、受話器を使わないシステムでは、マイク、あるいはテープレコーダ等の録音機器でもよい。
【００２１】
回線Ｉ／Ｆ４は、アナログ電話回線（ＰＳＴＮ）に接続されるＰＳＴＮインタフェース（Ｉ／Ｆ）４０Ａ，４０Ｂと、総合デジタル通信網（ＩＳＤＮ）に接続されるＩＳＤＮインタフェース（Ｉ／Ｆ）４１と、これらのＰＳＴＮＩ／Ｆ４０Ａ，４０Ｂ、ＩＳＤＮＩ／Ｆ４１の前段に設けられ、信号のアナログ／デジタル変換を行うＤ／Ａ変換器４２とを備える。Ｄ／Ａ変換器３２，４２は、デジタル信号線路６ｂ，６ｃによってバス２０ａに接続されている。
【００２２】
ＣＰＵ２０は、制御線２０ｂによって音声データ入出力部３および回線インタフェース部４に設けたＤ／Ａ変換器３２，４２に対し出力や入力のＯＮ／ＯＦＦの指示を与えることで経路の切り替えを行うものであり、変換されたデジタル信号はバス２０ａに送出される。
【００２３】
このように構成された第１の実施の形態において、ＰＳＴＮＩ／Ｆ４０Ａの回線状態を聞く場合は、ＣＰＵ２０がスピーカ３０に接続されているＤ／Ａ変換器３２とＰＳＴＮＩ／Ｆ４０Ａに接続されているＤ／Ａ変換器４２を制御線２０ｂによって選択することにより、ＰＳＴＮＩ／Ｆ４０Ａの回線状態を示すアナログ信号がＤ／Ａ変換器４２によってデジタル信号に変換され、デジタル信号線路６ｃ、バス２０ａ、デジタル信号線路６ｂを経由してＤ／Ａ変換器３２に入力し、Ｄ／Ａ変換器３２によってアナログ音声信号に変換され、スピーカ３０からＰＳＴＮＩ／Ｆ４０Ａの回線状態を示す音が発生する。
【００２４】
この第１の実施の形態によれば、音声データ入出力部３および回線インタフェース部４にＤ／Ａ変換器３２，４２を設け、Ｄ／Ａ変換器３２，４２間をバス２０ａに接続したので、アナログ線路がほとんどなくなり、ノイズが入り難くなる。
【００２５】
図２は、本発明の第２の実施の形態に係る通信装置を適用した電話装置を示す。この第２の実施の形態の電話装置１Ａは、第１の実施の形態において、音声データ入出力部３および回線Ｉ／Ｆ部４に設けたＤ／Ａ変換器３２，４２間のデジタル信号経路を第１の実施の形態のようにバス接続ではなく、セレクタ回路２５によって接続したものである。すなわち、Ｄ／Ａ変換器３２，４２とモデム部５間をデジタル信号線路６ａ，６ｂ，６ｃとセレクタ回路２５によって接続している。
【００２６】
ＣＰＵ２０は、制御線２０ｂによってセレクタ回路２５を制御してＤ／Ａ変換器３２，４２に対し出力や入力の経路の切り替えを行うものである。
【００２７】
セレクタ回路２５は、例えば、７４ＨＣ２５３のような４入力１出力、３−ｓｔａｔｅ（Ｈｉ−Ｚ）機能を有するＩＣを複数組み合わせることで容易に構成できる。もちろんこの回路構成を基に専用のＡＳＩＣとしてもよい。
【００２８】
このように構成された第２の実施の形態において、ＰＳＴＮＩ／Ｆ４０Ａの回線状態を聞く場合は、ＣＰＵ２０がスピーカ３０に接続されているＤ／Ａ変換器３２のデジタル信号経路６ｂとＰＳＴＮＩ／Ｆ４０Ａに接続されているＤ／Ａ変換器４２のデジタル信号経路６ｃを接続するようにセレクタ回路２５を制御線２０ｂによって制御することにより、ＰＳＴＮＩ／Ｆ４０Ａの回線状態を示すアナログ信号がＤ／Ａ変換器４２によってデジタル信号に変換され、デジタル信号線路６ｃ、セレクタ回路２５、デジタル信号線路６ｂを経由してＤ／Ａ変換器３２に入力し、Ｄ／Ａ変換器３２によってアナログ音声信号に変換され、スピーカ３０からＰＳＴＮＩ／Ｆ４０Ａの回線状態を示す音が発生する。
【００２９】
この第２の実施の形態によれば、音声データ入出力部３および回線インタフェース部４にＤ／Ａ変換器３２，４２を設け、Ｄ／Ａ変換器３２，４２およびモデム部５間をデジタル信号線路６ａ，６ｂ，６ｃおよびセレクタ回路２５によって接続したので、アナログ線路がほとんどなくなり、ノイズが入り難くなる。
【００３０】
図３は、本発明の第３の実施の形態に係る通信装置を適用したファクシミリ装置を示す。このファクシミリ装置１Ｂは、装置本体２と、第１の実施の形態と同様の音声データ入出力部３と、回線インタフェース部４とを備える。
【００３１】
装置本体２は、このファクシミリ装置１Ｂ全体を制御するＣＰＵ２０と、ＣＰＵ２０の動作プログラムを記憶するＲＯＭ２１と、データを記憶するＲＡＭ２２と、原稿から画像データを読み取るスキャナ２６と、データの符号化／複合化を行う符合化部２７と、ファクリミリデータを印刷するプリンタ２８と、信号の変復調を行う複数のＧ３モデム部５Ａ，５Ｂ，５Ｃおよび複数のＧ４機能部５Ｄ，５Ｅと、信号経路の切替えを行うセレクタ回路２５と、これらのＣＰＵ２０、ＲＯＭ２１、ＲＡＭ２２、スキャナ２６、符合化部２７、プリンタ２８およびモデム部５Ａ〜５Ｅを相互に接続するバス２０ａとを備える。
【００３２】
回線Ｉ／Ｆ部４は、ＰＳＴＮＩ／Ｆ４０Ａ，４０Ｂと、ＩＳＤＮＩ／Ｆ４１と、これらのＰＳＴＮＩ／Ｆ４０Ａ，４０ＢおよびＩＳＤＮＩ／Ｆ４１の前段に設けられたＡＦＥ４３とを備える。
【００３３】
このように構成された第３の実施の形態において、ＰＳＴＮＩ／Ｆ４０Ａの回線状態を聞く場合は、ＣＰＵ２０がスピーカ３０に接続されているＤ／Ａ変換器３２のデジタル信号経路６ｂとＰＳＴＮＩ／Ｆ４０Ａに接続されているＡＦＥ４３のデジタル信号経路６ｃを接続するようにセレクタ回路２５を制御線２０ｂによって制御することにより、ＰＳＴＮＩ／Ｆ４０Ａの回線状態を示すアナログ信号がＡＦＥ４３によってデジタル信号に変換され、デジタル信号線路６ｃ、セレクタ回路２５、デジタル信号線路６ｂを経由してＤ／Ａ変換器３２に入力し、Ｄ／Ａ変換器３２によってアナログ音声信号に変換され、スピーカ３０からＰＳＴＮＩ／Ｆ４０Ａの回線状態を示す音が発生する。
【００３４】
ＲＡＭ２２に記憶されている画像データをＧ３モデム部５Ａを使ってＰＳＴＮＩ／Ｆ４０Ａを介して相手通信装置に送信する場合は、ＲＡＭ２２に記憶されている画像データをＧ３モデム部５Ａによって信号変調する。ＣＰＵ２０が、Ｇ３モデム部５Ａのデジタル信号線路６ａとＰＳＴＮＩ／Ｆ４０Ａに接続されているＡＦＥ４３のデジタル信号線路６ｃを接続するようにセレクタ回路２５を制御線２０ｂによって制御することにより、Ｇ３モデム部５Ａによって変調された画像データがデジタル信号線路６ａ、セレクタ回路２５、デジタル信号線路６ｃを経由してＤ／Ａ変換器４２に入力し、Ｄ／Ａ変換器４２によってアナログ信号に変換され、ＰＳＴＮＩ／Ｆ４０Ｂを介して相手通信装置に送信される。
【００３５】
この第３の実施の形態によれば、ハンドセット３１やスピーカ３０に対してはＤ／Ａ変換器３２としているが、従来、モデム部側にあったＡＦＥを回線Ｉ／Ｆ部４側に配置することにより、モデム部５Ａ〜５Ｃと回線Ｉ／Ｆ部４間の通信経路６ａ，６ｃをデジタル化することができる。もともとファクシミリとして持っているＡＦＥを有効活用することで容易にアナログ信号のデジタル化が構成できる。
【００３６】
【発明の効果】
以上説明したように、本発明によれば、通信回線インタフェースおよび音声入出力手段間、あるいはこれらとモデム間を変換手段を介してデジタル信号経路によって接続してアナログ信号経路をできるだけデジタル化したので、通信／通話信号の品質の向上、および製造工数、部品点数の低減を図ることができる。
【図面の簡単な説明】
【図１】本発明の第１の実施の形態に係る通信装置を適用したパソコンを示す図である。
【図２】本発明の第２の実施の形態に係る通信装置を適用したパソコンを示す図である。
【図３】本発明の第３の実施の形態に係る通信装置を適用したファクシミリ装置を示す図である。
【図４】従来のファクシミリ装置を示す図である。
【符号の説明】
１Ａ　電話装置
１Ｂ　ファクシミリ装置
２　装置本体
３　音声データ入出力部
４　回線インタフェース部
５Ａ，５Ｂ，５Ｃ　Ｇ３モデム部
５Ｄ，５Ｅ　Ｇ４機能部
６ａ，６ｂ，６ｃ　デジタル信号経路
１６ａ，１６ｂ，１６ｃ　アナログ信号経路
２０ａ　バス
２０ｂ　制御線
２１　ＲＯＭ
２２　ＲＡＭ
２３　表示部
２４　操作部
２５　セレクタ回路
２６　スキャナ
２７　符合化部
２８　プリンタ
３２　Ｄ／Ａ変換器
４０　スピーカ
４１　ハンドセット
４２　Ｄ／Ａ変換器
４３，５１　ＡＦＥ
５０　ＤＳＰ
【図１】
2004112452.tif 000003
【図２】
2004112452.tif 000004
【図３】
2004112452.tif 000005
【図４】
2004112452.tif 000006